【手続補正書】
【提出日】平成24年3月12日(2012.3.12)
【手続補正１】
【補正対象書類名】特許請求の範囲
【補正対象項目名】全文
【補正方法】変更
【補正の内容】
【特許請求の範囲】
【請求項１】
物体側から像側へ順に、ズーミングに際して不動の正の屈折力の第１レンズ群と、ズーミングに際して、移動する負の屈折力の第２レンズ群と、該第２レンズ群の移動に連動して光軸上を移動し、変倍に伴う像面変動を補正する正の屈折力の第３レンズ群と、ズーミングに際して不動の結像作用をする正の屈折力の第４レンズ群を有するズームレンズであって、該第３レンズ群は正レンズと負レンズを有しており、該第３レンズ群を構成する負レンズの材料のアッベ数と部分分散比の平均値を各々νｎａ、θｎａ、該第３レンズ群を構成する正レンズの材料のアッベ数と部分分散比の平均値を各々νｐａ、θｐａ、該第３レンズ群を構成する各レンズの比重の平均値をＳＧａ３とするとき、
−１．４×１０−３＞（θｐａ−θｎａ）／（νｐａ−νｎａ）＞−２．０×１０−３
４１＜νｐａ−νｎａ＜５３
２．９＜ＳＧａ３＜３．２
なる条件を満足することを特徴とするズームレンズ。
【請求項２】
前記第３レンズ群は４枚の正レンズと１枚の負レンズより構成されることを特徴とする請求項１のズームレンズ。
【請求項３】
前記第３レンズ群に含まれるレンズのうち、材料のアッベ数がもっとも小さい負レンズの焦点距離、材料のアッベ数、部分分散比を順にｆ３ｎ、νｎ、θｎとし、材料のアッベ数がもっとも大きい正レンズの焦点距離、材料のアッベ数、部分分散比を順にｆ３ｐ、νｐ、θｐ、該第３レンズ群の焦点距離をｆ３とするとき、
−１．２×１０−３＜（θｐ−θｎ）／（νｐ−νｎ）＜−１．１×１０−３
０．８＜（１／ｆ３）／（１／ｆ３ｐ−１／ｆ３ｎ）＜１．１
なる条件を満足することを特徴とする請求項１又は２のズームレンズ。
【請求項４】
前記第３レンズ群に含まれる正レンズの屈折力の合計値をφｐ、該第３レンズ群に含まれる負レンズの屈折力の合計値をφｎ、該第３レンズ群の屈折力をφ３とするとき、
１．６＜φｐ／φ３＜１．７
−０．６＜φｎ／φ３＜−０．４
なる条件を満足することを特徴とする請求項１乃至３のいずれか１項のズームレンズ。
【請求項５】
前記第３レンズ群に含まれる正レンズのうち、少なくとも１枚の正レンズの材料のアッベ数、部分分散比、屈折率、比重を順に、ν３ｐ１、θ３ｐ１、Ｎ３ｐ１、ＳＧ３ｐ１とするとき
６０＜ν３ｐ１＜７５
０．５３＜θ３ｐ１＜０．５４
１．５５＜Ｎ３ｐ１＜１．６５
３．０＜ＳＧ３ｐ１＜３．２
なる条件を満足することを特徴とする請求項１乃至４のいずれか１項のズームレンズ。
【請求項６】
前記第３レンズ群に含まれる正レンズのうち、少なくとも１枚の正レンズの材料のアッベ数、部分分散比、屈折率、比重を順に、ν３ｐ２、θ３ｐ２、Ｎ３ｐ２、ＳＧ３ｐ２とするとき
６０＜ν３ｐ２＜７５
０．５２＜θ３ｐ２＜０．５４
１．４５＜Ｎ３ｐ２＜１．５５
２．４＜ＳＧ３ｐ２＜２．６
なる条件を満足することを特徴とする請求項１乃至５のいずれか１項のズームレンズ。
【請求項７】
前記第３レンズ群に含まれる１枚の負レンズの材料のアッベ数、部分分散比、屈折率、比重を順に、ν３ｎ１、θ３ｎ１、Ｎ３ｎ１、ＳＧ３ｎ１とするとき
２０＜ν３ｎ１＜２８
０．６＜θ３ｎ１＜０．６１５
１．７＜Ｎ３ｎ１＜２．０
３．０＜ＳＧ３ｎ１＜３．７
なる条件を満足することを特徴とする請求項１乃至６のいずれか１項のズームレンズ。
【請求項８】
前記第３レンズ群の焦点距離をｆ３、前記ズームレンズの望遠端における焦点距離をｆｔｅｌｅとするとき、
１４．５＜ｆｔｅｌｅ／ｆ３＜１７．０
なる条件を満足することを特徴とする請求項１乃至７のいずれか１項のズームレンズ。
【請求項９】
前記第１レンズ群の焦点距離をｆ１、前記第２レンズ群の焦点距離をｆ２とするとき、
２７＜ｆ１・ｆ３／ｆ２２＜２９
なる条件を満足することを特徴とする請求項１乃至８のいずれか１項のズームレンズ。
【請求項１０】
前記第１レンズ群の焦点距離をｆ１、前記第２レンズ群の焦点距離をｆ２とするとき、
９．５＜｜ｆ１／ｆ２｜＜１１
なる条件を満足することを特徴とする請求項１乃至９のいずれか１項のズームレンズ。
【請求項１１】
前記第１レンズ群の焦点距離をｆ１、前記ズームレンズの望遠端における焦点距離をｆｔｅｌｅとするとき、
３．９＜ｆｔｅｌｅ／ｆ１＜６
なる条件を満足することを特徴とする請求項１乃至１０のいずれか１項のズームレンズ。
【請求項１２】
前記第１レンズ群の焦点距離をｆ１、前記ズームレンズの広角端における焦点距離をｆｗｉｄｅとするとき、
２４＜ｆ１／ｆｗｉｄｅ＜３０
なる条件を満足することを特徴とする請求項１乃至１１のいずれか１項のズームレンズ。
【請求項１３】
前記第３レンズ群は物体側から像側へ順に、両凸形状の正レンズ、両凸形状の正レンズ、物体側の面が凸でメニスカス形状の負レンズ、物体側の面が凸形状の正レンズ、物体側の面が凸形状の正レンズで構成されることを特徴とする請求項１乃至１２のいずれか１項のズームレンズ。
【請求項１４】
前記第３レンズ群は物体側から像側へ順に、両凸形状の正レンズ、両凸形状の正レンズ、両凸形状の正レンズ、物体側の面が凹形状の負レンズ、物体側の面が凸形状の正レンズで構成されることを特徴とする請求項１乃至１２のいずれか１項のズームレンズ。
【請求項１５】
請求項１乃至１４のいずれか１項のズームレンズと、前記ズームレンズによって形成された像を受光する固体撮像素子を有することを特徴とする撮像装置。
【手続補正２】
【補正対象書類名】明細書
【補正対象項目名】００２６
【補正方法】変更
【補正の内容】
【００２６】
−１．２×１０−３＜（θｐ−θｎ）／（νｐ−νｎ）＜−１．１×１０−３ 
・・・（４）
０．８＜（１／ｆ３）／（１／ｆ３ｐ−１／ｆ３ｎ）＜１．１ ・・・（５）
１．６＜φｐ／φ３＜１．７ ・・・（６）
−０．６＜φｎ／φ３＜−０．４ ・・・（７）
６０＜ν３ｐ１＜７５ ・・・（８）
０．５３＜θ３ｐ１＜０．５４ ・・・（９）
１．５５＜Ｎ３ｐ１＜１．６５ ・・・（１０）
３．０＜ＳＧ３ｐ１＜３．２ ・・・（１１）
６０＜ν３ｐ２＜７５ ・・・（１２）
０．５２＜θ３ｐ２＜０．５４ ・・・（１３）
１．４５＜Ｎ３ｐ２＜１．５５ ・・・（１４）
２．４＜ＳＧ３ｐ２＜２．６ ・・・（１５）
２０＜ν３ｎ１＜２８ ・・・（１６）
０．６＜θ３ｎ１＜０．６１５ ・・・（１７）
１．７＜Ｎ３ｎ１＜２．０ ・・・（１８）
３．０＜ＳＧ３ｎ１＜３．７ ・・・（１９）
１４．５＜ｆｔｅｌｅ／ｆ３＜１７．０ ・・・（２０）
２７＜ｆ１・ｆ３／ｆ２２＜２９ ・・・（２１）
９．５＜｜ｆ１／ｆ２｜＜１１ ・・・（２２）
３．９＜ｆｔｅｌｅ／ｆ１＜６ ・・・（２３）
２４＜ｆ１／ｆｗｉｄｅ＜３０ ・・・（２４）
次に前述の各条件式の技術的意味について説明する。
【手続補正３】
【補正対象書類名】明細書
【補正対象項目名】００３３
【補正方法】変更
【補正の内容】
【００３３】
−１．１８×１０−３＜（θｐ−θｎ）／（νｐ−νｎ）＜−１．１×１０−３
・・・（４ａ）
０．８５＜（１／ｆ３）／（１／ｆ３ｐ−１／ｆ３ｎ）＜１．０８ ・・・（５ａ）
１．６０３＜φｐ／φ３＜１．６９０ ・・・（６ａ）
−０．５６＜φｎ／φ３＜−０．４４ ・・・（７ａ）
１４．５１＜ｆｔｅｌｅ／ｆ３＜１６．９０ ・・・（２０ａ）
２７．０２＜ｆ１・ｆ３／ｆ２２＜２８．８０ ・・・（２１ａ）
９．７＜｜ｆ１／ｆ２｜＜１０．５ ・・・（２２ａ）
３．９＜ｆｔｅｌｅ／ｆ１＜５．０ ・・・（２３ａ）
２４．５＜ｆ１／ｆｗｉｄｅ＜２９．５ ・・・（２４ａ）
各実施例において第３レンズ群Ｕ３は物体側から像側へ順に、両凸形状の正レンズ、両凸形状の正レンズ、物体側の面が凸でメニスカス形状の負レンズ、物体側の面が凸形状の正レンズ、物体側の面が凸形状の正レンズで構成している。または第３レンズ群Ｕ３は物体側から像側へ順に、両凸形状の正レンズ、両凸形状の正レンズ、両凸形状の正レンズ、物体側の面が凹形状の負レンズ、物体側の面が凸形状の正レンズで構成している。これによって第３レンズ群Ｕ３より発生する２次スペクトルを軽減し、ズーミングに伴う色収差の変動を少なくし、全ズーム範囲にわたり高い光学性能を得るのを容易にしている。